(57)【要約】【課題】架台の強度を維持し、架台構成部材の運搬の容易化及び設置施工の容易化を図る。【解決手段】土台部上に複数本の縦桟を略平行に且つ所定角度をもって配設固定し、この縦桟の上面にソーラーパネル等の面状物品を縦横に配列固定できる架台構成システムである。前記縦桟がその上端に配され、その全体が１つのユニットから成る縦桟フレームを使用する。この縦桟フレームの複数を土台部上に列設し、これら縦桟フレーム間には適宜補強材を配設固定して架台が形成される。これにより架台の各縦桟上に面状物品を配列固定することができる。上記縦桟フレームに代えて横桟フレームを形成し、この横桟フレームの少なくとも２つを前後に配列し、これらの横桟フレーム上に複数の縦桟を載置列設して架台を構成することもできる。【選択図】図１
2014088695.tif 000002
【特許請求の範囲】
【請求項１】
土台部上に複数本の縦桟を略平行に且つ所定角度をもって配設し、この縦桟上にソーラーパネル等の面状物品を縦横に配列固定することができるソーラーパネル等の面状物品の架台構成システムであって、
前記縦桟がその上端に配された１つのユニットから成る縦桟フレームを使用し、
この縦桟フレームは、その上端の縦桟と、この縦桟を支持する複数の支柱と、支柱の下端部を土台部に固定する固定部とから構成され、
この縦桟フレームの複数を土台部上に列設固定し、これら縦桟フレーム間には適宜補強材を配設固定して架台が形成され、
これにより架台の縦桟上に前記面状物品を配列固定することができることを特徴とするソーラーパネル等の面状物品の架台構成システム。
【請求項２】
前記縦桟フレームの前方側と後方側の支柱長さを異ならせること、及び／又は、前方側と後方側の支柱の配設角度を異ならせることにより縦桟が適宜角度をもって傾斜状に配設されることを特徴とする請求項１に記載のソーラーパネル等の面状物品の架台構成システム。
【請求項３】
前記縦桟フレームの偶数本を１ブロックとして、この１ブロック単位の架台を横方向に順次配列して架台を形成し、それぞれのブロックの間に導電性を有する電導部材を掛け渡してアース線を各ブロック間に配線する作業を省略したことを特徴とする請求項１又は２に記載のソーラーパネル等の面状物品の架台構成システム。
【請求項４】
土台部上に複数本の縦桟を略平行に且つ所定角度をもって配設し、この縦桟上にソーラーパネル等の面状物品を縦横に配列固定することができるソーラーパネル等の面状物品の架台構成システムであって、
前記複数本の縦桟を支持する１つのユニットから成る横桟フレームを使用し、
この横桟フレームは、その上端の横桟と、この横桟を支持する複数の支柱と、支柱の下端部を土台部に固定する固定部とから構成され、
この横桟フレームの少なくとも２つを架台の前方側と後方側に配置して、これらの横桟フレームの上端の横桟上及び／又は支柱上端部に複数の縦桟を列設固定し、適宜補強材を配設固定して架台が形成され、
これにより架台の縦桟上に前記面状物品を配列固定することができることを特徴とするソーラーパネル等の面状物品の架台構成システム。
【請求項５】
前方側横桟フレームと後方側横桟フレームの支柱高さを異ならせることにより、縦桟が適宜角度をもって傾斜状に配設されることを特徴とする請求項４に記載のソーラーパネル等の面状物品の架台構成システム。
【請求項６】
前記少なくとも２つの横桟フレームを１ブロックとして、この１ブロック単位の架台を横方向に順次配列して架台を形成し、それぞれのブロックの間に導電性を有する電導部材を掛け渡してアース線を各ブロック間に配線する作業を省略したことを特徴とする請求項４又は５に記載のソーラーパネル等の面状物品の架台構成システム。
【請求項７】
１ユニットからなる前記縦桟フレーム又は横桟フレームが折り畳み自在及び／又は伸縮自在並びに組み立て自在のものからなり、出荷時には折り畳まれた状態又は収縮された状態で搬出され、設置現場にて組み立てて、架台を形成することができることを特徴とする請求項１乃至６の何れか１項に記載のソーラーパネル等の面状物品の架台構成システム。
【請求項８】
ソーラーパネル等の面状物品を支持する縦桟を含む縦桟フレームを折り畳み及び組み立て自在に形成し、
この縦桟フレームの複数を土台部上に略平行に列設固定し、
その後、これら縦桟フレーム間に補強材を配設固定して架台を形成し、
この架台の複数の縦桟上に面状物品を順次縦横方向に配設し固定できることを特徴とするソーラーパネル等の面状物品の架台構成方法。
【請求項９】
ソーラーパネル等の面状物品を支持する複数本の縦桟を支持する横桟フレームを折り畳み自在及び／又は伸縮自在、並びに組み立て自在に形成し、
この横桟フレームの少なくとも２つを土台部の前方側と後方側に設置し、
その後、これら横桟フレーム間に複数の縦桟を略平行に列設固定し、適宜補強材を配設固定して架台を形成し、
この架台の複数の縦桟上に面状物品を順次縦横方向に配設し固定できることを特徴とするソーラーパネル等の面状物品の架台構成方法。
【請求項１０】
請求項１に記載のソーラーパネル等の面状物品の架台構成システムにおいて使用する縦桟フレームであって、
この縦桟フレームは、上端の縦桟と、これを支持する複数の支柱と、これら支柱の下端部を土台部に固定する固定部とから構成される全体で１つのユニットから成り、
前方側と後方側の支柱の長さを異ならせること、及び／又は、前方側と後方側の支柱の配設角度を異ならせることにより、ソーラーパネル等の面状物品を支持する縦桟の傾斜角度を変更できるソーラーパネル等の面状物品の架台用フレーム。
【請求項１１】
請求項４に記載のソーラーパネル等の面状物品の架台構成システムにおいて使用する横桟フレームであって、
この横桟フレームは、上端の横桟と、これを支持する複数の支柱と、これらの支柱の下端部を土台部に固定する固定部とから構成される全体で１つのユニットから成り、
この横桟フレームの上端に配された横桟上及び／又は支柱上端部に複数の縦桟を略平行に配設固定することができるソーラーパネル等の面状物品の架台用フレーム。
【請求項１２】
前記縦桟フレーム又は横桟フレームが折り畳み自在及び／又は伸縮自在並びに組み立て自在のものから成ることを特徴とする請求項１０又は１１に記載のソーラーパネル等の面状物品の架台用フレーム。
【発明の詳細な説明】
【技術分野】
【０００１】
本発明は、ソーラーパネル（太陽電池パネル）等の面状物品を設置し、支持固定するための架台に関し、より詳しくは、その架台構成システム及び架台構成方法、並びにこの架台に用いられる架台用フレームに関するものである。
【背景技術】
【０００２】
従来よりメガソーラー等大小を問わず地上又は陸屋根等に設置されるタイプのソーラーパネル等の面状物品を構築する各種の支持架台が提案されている。これらの先行技術として下記特許文献に記載のものを挙げることができる。
【０００３】
下記特許文献１に記載の発明に係る太陽電池パネル支持構造にあっては、経済的に施工が容易、安全性、メンテナンス性に優れるものを提供するものであって、施工地に所定間隔で立設された複数の土台（架台）と土台（架台）間に掛け渡した支持材と、支持材に設けた太陽電池パネルを取り付ける取り付け部とを備えたものである。
この発明では、この土台の形態に特徴があり、即ち、土台の上面の上面全部又は一部を所定角で傾斜させ、この傾斜面に支持材を取り付けて太陽電池パネルを傾斜状態に支持するものである。
【０００４】
下記特許文献２に記載の支持構造にあっては、地盤の不安定性に対して、低いコストで安定的に太陽電池モジュールを支持し得る支持構造とそのための支持金具を提供するものである。
ここで利用されている土台は、その手前側に位置する土台と、その後方に位置する土台とが異なる高さに施工・設置され、これら異なる高さの土台の上面に取付金具を固定して太陽電池パネルを傾斜状に設置し固定できるものであって、その取付金具の構成に特徴がある。
【０００５】
下記特許文献３に記載の支持構造にあっては、太陽電池モジュール等の構造物の取付け作業が容易でありかつ安全な構造物支持構造を提供するものであり、前記構造物を支持する桟と案内支持部との両者の構成に特徴がある。
この発明においても、土台部であるコンクリート基礎を等間隔で地面上に敷設し、これらコンクリート基礎上にベース桟を固定してベース桟を等間隔に並設し、各ベース桟の後端部アームを鉛直方向に立設して、各ベース桟の先端部と各後端部アームの上端部に縦桟を斜めに掛け渡し、これらの縦桟に太陽電池モジュールを設置する（特許文献３の図１、図１０及び図２３を参照。）ものである。
【０００６】
下記特許文献４に記載の発明にあっては、簡単な形状でありながらも、桟の位置調節範囲が広く、コストの低減を図ることが可能な設置架台を提供するものである。
この発明にあっては、横桟と固定具、固定具と縦桟との構成により、それらの取付け位置を少しずつ調節できるように構成したものである。
この発明においては、縦桟の手前側の横桟と後方に位置する横桟の高さを異ならせることによりソーラーパネルの傾斜設置を可能とするものである。
【先行技術文献】
【特許文献】
【０００７】
【特許文献１】特開２００７−３５８４９号公報
【特許文献２】特開２０１０−２５８０２４号公報
【特許文献３】特開２０１１−１８５０３０号公報
【特許文献４】特開２０１１−１３２７８０号公報
【発明の概要】
【発明が解決しようとする課題】
【０００８】
上記の通り、従来のソーラーパネル等の面状物品の支持構造においては各種のタイプのものがあるが、本願発明においては、設置（施工）場所にコンクリート製の土台部を設置し、この土台部の上に支持構造を介して面状物品を平面状又は傾斜状に支持固定するものである。
かかる支持構造においては、その重量の軽量化を図ることが求められ、且つ、軽量であるがその所定の強度も必要とされるものであり、本発明においては、この軽量化と強度確保をまず第一に実現せねばならない。
【０００９】
次に、本発明においては、設置施工の容易化がその課題となる。それ故、その設置施工の容易化のために、ソーラーパネル等の架台の構成システム、構成方法、またこれに用いる最適な構成要素である架台用フレームを提供することがその課題となるのである。
更に、上記架台用フレームを用いることにより、架台の構成部材の運搬の容易化、設置施工の簡略化及び容易化もその課題となるのである。
その他、本発明においては、この種の架台に対する一般的な要求課題でもある構成要素の耐水性、耐腐食性の向上を図ることもその課題となる。
【課題を解決するための手段】
【００１０】
上記課題を解決するために、本発明の第１のものは、土台部上に複数本の縦桟を略平行に且つ所定角度をもって配設し、この縦桟上にソーラーパネル等の面状物品を縦横に配列固定することができるソーラーパネル等の面状物品の架台構成システムであって、前記縦桟がその上端に配された１つのユニットから成る縦桟フレームを使用し、この縦桟フレームは、その上端の縦桟と、この縦桟を支持する複数の支柱と、支柱の下端部を土台部に固定する固定部とから構成され、この縦桟フレームの複数を土台部上に列設固定し、これら縦桟フレーム間には適宜補強材を配設固定して架台が形成され、これにより架台の縦桟上に前記面状物品を配列固定することができることを特徴とするソーラーパネル等の面状物品の架台構成システムである。
ここで、「土台部」というのは、例えばメガソーラー等の大規模なものにあっては、広大な敷地上に適宜コンクリートの基礎部を横方向又は縦方向に略平行に列設したものであってもよいし、コンクリート建築物の屋上の陸屋根であれば、この陸屋根自体が土台部となってその上に本発明に係る架台を設置することができるものである。
また、縦桟というのは、太陽光に対して適宜傾斜角度をもってソーラーパネルが設置される訳であるが、この傾斜面の傾斜方向に沿う方向に配される桟を意味するものである。
尚、本発明においては、このソーラーパネルの傾斜角度を決定する縦桟の所定角度というのは、０度から９０度までの全範囲を含む意味である。
【００１１】
本発明の第２のものは、上記第１の発明において、前記縦桟フレームの前方側と後方側の支柱長さを異ならせること、及び／又は、前方側と後方側の支柱の配設角度を異ならせることにより縦桟が適宜角度をもって傾斜状に配設されることを特徴とするソーラーパネル等の面状物品の架台構成システムである。
【００１２】
本発明の第３のものは、上記第１又は第２の発明において、前記縦桟フレームの偶数本を１ブロックとして、この１ブロック単位の架台を横方向に順次配列して架台を形成し、それぞれのブロックの間に導電性を有する電導部材を掛け渡してアース線を各ブロック間に配線する作業を省略したことを特徴とするソーラーパネル等の面状物品の架台構成システムである。
【００１３】
本発明の第４のものは、土台部上に複数本の縦桟を略平行に且つ所定角度をもって配設し、この縦桟上にソーラーパネル等の面状物品を縦横に配列固定することができるソーラーパネル等の面状物品の架台構成システムであって、前記複数本の縦桟を支持する１つのユニットから成る横桟フレームを使用し、この横桟フレームは、その上端の横桟と、この横桟を支持する複数の支柱と、支柱の下端部を土台部に固定する固定部とから構成され、この横桟フレームの少なくとも２つを架台の前方側と後方側に配置して、これらの横桟フレームの上端の横桟上及び／又は支柱上端部に複数の縦桟を列設固定し、適宜補強材を配設固定して架台が形成され、これにより架台の縦桟上に前記面状物品を配列固定することができることを特徴とするソーラーパネル等の面状物品の架台構成システムである。
【００１４】
本発明の第５のものは、上記第４の発明において、前方側横桟フレームと後方側横桟フレームの支柱高さを異ならせることにより、縦桟が適宜角度をもって傾斜状に配設されることを特徴とするソーラーパネル等の面状物品の架台構成システムである。
【００１５】
本発明の第６のものは、上記第４又は第５の発明において、前記少なくとも２つの横桟フレームを１ブロックとして、この１ブロック単位の架台を横方向に順次配列して架台を形成し、それぞれのブロックの間に導電性を有する電導部材を掛け渡してアース線を各ブロック間に配線する作業を省略したことを特徴とするソーラーパネル等の面状物品の架台構成システムである。
【００１６】
本発明の第７のものは、上記第１乃至第６のそれぞれの発明において、１ユニットからなる前記縦桟フレーム又は横桟フレームが折り畳み自在及び／又は伸縮自在並びに組み立て自在のものからなり、出荷時には折り畳まれた状態又は収縮された状態で搬出され、設置現場にて組み立てて、架台を形成することができることを特徴とするソーラーパネル等の面状物品の架台構成システムである。
【００１７】
本発明の第８のものは、ソーラーパネル等の面状物品を支持する縦桟を含む縦桟フレームを折り畳み及び組み立て自在に形成し、この縦桟フレームの複数を土台部上に略平行に列設固定し、その後、これら縦桟フレーム間に補強材を配設固定して架台を形成し、この架台の複数の縦桟上に面状物品を順次縦横方向に配設し固定できることを特徴とするソーラーパネル等の面状物品の架台構成方法である。
【００１８】
本発明の第９のものは、ソーラーパネル等の面状物品を支持する複数本の縦桟を支持する横桟フレームを折り畳み自在及び／又は伸縮自在、並びに組み立て自在に形成し、この横桟フレームの少なくとも２つを土台部の前方側と後方側に設置し、その後、これら横桟フレーム間に複数の縦桟を略平行に列設固定し、適宜補強材を配設固定して架台を形成し、この架台の複数の縦桟上に面状物品を順次縦横方向に配設し固定できることを特徴とするソーラーパネル等の面状物品の架台構成方法である。
【００１９】
本発明の第１０のものは、上記第１の発明に記載のソーラーパネル等の面状物品の架台構成システムにおいて使用する縦桟フレームであって、この縦桟フレームは、上端の縦桟と、これを支持する複数の支柱と、これら支柱の下端部を土台部に固定する固定部とから構成される全体で１つのユニットから成り、前方側と後方側の支柱の長さを異ならせること、及び／又は、前方側と後方側の支柱の配設角度を異ならせることにより、ソーラーパネル等の面状物品を支持する縦桟の傾斜角度を変更できるソーラーパネル等の面状物品の架台用フレームである。
【００２０】
本発明の第１１のものは、上記第４の発明に記載のソーラーパネル等の面状物品の架台構成システムにおいて使用する横桟フレームであって、この横桟フレームは、上端の横桟と、これを支持する複数の支柱と、これらの支柱の下端部を土台部に固定する固定部とから構成される全体で１つのユニットから成り、この横桟フレームの上端に配された横桟上及び／又は支柱上端部に複数の縦桟を略平行に配設固定することができるソーラーパネル等の面状物品の架台用フレームである。
【００２１】
本発明の第１２のものは、上記第１０又は第１１の発明において、前記縦桟フレーム又は横桟フレームが折り畳み自在及び／又は伸縮自在並びに組み立て自在のものから成ることを特徴とするソーラーパネル等の面状物品の架台用フレームである。
【発明の効果】
【００２２】
本発明の第１のものにおいては、架台の構成要素の１つである縦桟フレームが１つのユニットとして、即ち１つの完結した構成要素として既に形成されており、この１ユニットとしての縦桟フレームを利用して、土台部上に列設し、補強材を使用して架台が完成するものであり、その設置施工が非常に容易なものとなる。
換言すれば、上記縦桟フレームは、工場内で予め製造されており、これを設置現場に運搬し、そのまま土台部上に設置し、更にブレース等の補強材を付加して架台を完成することができるのである。
架台完成後は、従来の方法によりソーラーパネル等の面状物品を略平行に列設された縦桟上に設置し固定することができるのである。
【００２３】
本発明の第２のものにおいては、上記架台構成システムの縦桟フレームは、その上端の縦桟と、この縦桟を支持する複数の支柱と、支柱の下端部を土台部に固定する固定部とから構成されているが、縦桟フレームを支持する複数の支柱の前方側と後方側の支柱の長さを異ならせることにより、又は前方側と後方側の支柱の配設角度を異ならせることにより、更には、これら長さと配設角度の両者を異ならせることにより縦桟を適宜角度をもって傾斜状に配設することができることとなる。
即ち、予め工場内で製造される縦桟フレームの支柱の長さを適宜変更して製造しておくこと等により、所望の傾斜角度を有する縦桟フレームを選択して、所望の傾斜角度の縦桟フレームを現場で設置することができることとなる。
【００２４】
本発明の第３のものは、縦桟フレームの偶数本を１ブロックと成し、この１ブロック単位の架台を横方向に順次配列して複数ブロックの架台を形成し、それぞれのブロックの間に導電性を有する電導部材を掛け渡したため、それぞれのブロック間にアース線を配線する作業が不要となり、省力化を図ったものである。
【００２５】
本発明の第４のものにおいては、上記の発明と異なり、つまり、予めユニット化された縦桟フレームを使用するのではなく、ユニット化された横桟フレームを使用した架台構成システムである。
即ち、複数本の縦桟を支持することができる１つのユニットから成る横桟フレームを使用し、この横桟フレームの少なくとも２つを架台の前方側と後方側に配置して、これらの横桟フレームの上端の横桟上及び／又は支柱の上端部に複数の縦桟を列設固定し、適宜補強材を配設固定して架台が形成されるのである。
【００２６】
その効果は、前記第１の発明と同じであり、架台の構成要素の１つである横桟フレームが１つのユニットとして、即ち１つの完結した構成要素として既に形成されており、この１ユニットとしての横桟フレームを２つ利用して、土台部上でその前方側と後方側に列設し、この横桟フレームの各横桟上及び／又は支柱上端部に複数の縦桟を列設固定することができ、その後補強材を使用して架台が完成し、前記縦桟上にソーラーパネル等を設置し固定することができ、その設置施工が非常に容易なものとなるのである。
【００２７】
本発明の第５のものにおいては、前方及び後方の横桟フレーム上に列設される縦桟の傾斜角度を変更できるように、前方側と後方側の横桟フレームの支柱の高さを異ならせることを特徴とするものである。
これにより、前後の横桟フレーム上に列設される縦桟の傾斜角度を自由に適宜変更することができるのである。
【００２８】
本発明においては、この横桟フレームが予め工場内で製造された１ユニットからなるものであり、支柱高さの異なる各種の横桟フレームを予め製造し、準備しておくことにより、これらから適宜選択して現場において縦桟を所望の傾斜角度で容易に設置することができることとなるのである。
【００２９】
本発明の第６のものにおいては、前記第３の発明と同様に、少なくとも２つの横桟フレームを１ブロックと成し、この１ブロック単位の架台を横方向に順次配列して複数ブロックの架台を形成し、それぞれのブロックの間に導電性を有する電導部材を掛け渡したため、それぞれのブロック間にアース線を配線する作業が不要となり、省力化を図ったものである。
【００３０】
本発明の第７のものにおいては、上記第１乃至第４の何れかの発明において、１ユニットからなる前記縦桟フレーム又は横桟フレームを折り畳み自在及び／又は伸縮自在並びに組み立て自在のものから形成したために、出荷時には折り畳まれた状態又は収縮された状態で運搬され、設置現場にて組み立てて、架台を構築することができることとなり、運搬の容易化、設置施工の容易化に寄与するものとなる。
【００３１】
本発明の第８のものにおいては、ソーラーパネル等の面状物品を支持する縦桟を含む縦桟フレームを折り畳み及び組み立て自在に形成し、この縦桟フレームの複数を土台部上に略平行に列設し、その後、これら縦桟フレーム間に補強材を配設固定して架台が形成され、この架台の複数の縦桟上に面状物品を順次縦横方向に配設し固定できる架台構成方法である。
この架台構成方法を採用することにより、その設置施工作業は極めて簡略化され、その作業効率も飛躍的に向上するものとなる。
【００３２】
本発明の第９のものにおいては、上記第６の発明で使用する縦桟フレームと異なり、折り畳み自在及び／又は伸縮自在、並びに組み立て自在の横桟フレームを利用した架台構成方法であり、その効果は上記第６の発明と同様である。
【００３３】
本発明の第１０のものは、上記第１の発明に係る架台構成システムにおいて使用する縦枠フレームに関するものであって、その支柱の前方側と後方側の長さ（高さ）を異ならせること、及び／又は、前方側と後方側の支柱の配設角度を異ならせることにより縦桟の傾斜角度を変更することができ、所望の傾斜角度の縦桟を有する縦桟フレームを予め工場内で１ユニットとして製造しておくことができるものとなる。
【００３４】
本発明の第１１のものは、上記第４の発明に係る架台構成システムにおいて使用する横桟フレームに関するものであって、この横桟フレームを予め工場内で１ユニットとして製造しておくことができ、しかもそれらの支柱の長さの異なるものを予め製造し用意しておくことにより、これらを適宜選択して設置することにより、適宜傾斜角度の縦桟を設置し固定することができるものとなるのである。
【００３５】
本発明の第１２のものにおいては、上記第１０又は第１１の発明に係る縦桟フレーム又は横桟フレームを折り畳み自在及び／又は伸縮自在並びに組み立て自在にしたものであり、これにより、本発明に係る縦桟フレーム及び横桟フレームは、出荷運搬時にはその体積を小さいものとでき、現場においては容易に組み立て及び設置施工がより容易となり、省力化にも寄与するものとなるのである。
【図面の簡単な説明】
【００３６】
【図１】本発明のソーラーパネル等の面状物品の架台構成システムに係る第１の実施形態の斜視説明図である。
【図２】上記実施形態において使用される縦桟フレームを図示しており、その（Ａ）が折り畳まれた状態の正面図、その（Ｂ）が（Ａ）図の右側面図、その（Ｃ）が組み立て時の正面図、その（Ｄ）が（Ｃ）図の右側面図、その（Ｅ）が完成時の正面図、その（Ｆ）が（Ｅ）図の右側面図である。
【図３】上記実施形態に係る縦桟フレームの縦桟の傾斜角度を各種変更して設置した状態を図示した説明図である。
【図４】本発明に係る架台構成システムに係る第２の実施形態を図示する斜視説明図である。
【図５】上記第２実施形態に係る架台構成システムに使用する横桟フレームを図示しており、その（Ａ）が折り畳まれた状態の正面図、その（Ｂ）が（Ａ）図の右側面図、その（Ｃ）が組み立て時の正面図、その（Ｄ）が（Ｃ）図の右側面図、その（Ｅ）が完成時の正面図、その（Ｆ）が（Ｅ）図の右側面図である。
【図６】本発明に係る横桟フレームの他の実施形態を図示しており、その（Ａ）が折り畳まれた状態を示し、その（Ｂ）が組み立て開始時を示し、その（Ｃ）が組み立て中を示し、その（Ｄ）完成時のものを示している。
【図７】本発明に係る横桟フレームの他の実施形態を図示しており、その（Ａ）が折り畳まれた状態を示し、その（Ｂ）が組み立て開始時を示し、その（Ｃ）が組み立て中を示し、その（Ｄ）完成時のものを示している。
【図８】本発明に係る横桟フレームの他の実施形態を図示しており、その（Ａ）が折り畳まれた状態の正面図、その（Ｂ）が（Ａ）図の右側面図、その（Ｃ）が組み立て時の正面図、その（Ｄ）が（Ｃ）図の右側面図、その（Ｅ）が完成時の正面図、その（Ｆ）が（Ｅ）図の右側面図である。
【図９】本発明に係る横桟フレームの他の実施形態を図示しており、その（Ａ）が折り畳まれた状態を示し、その（Ｂ）が組み立て開始時を示し、その（Ｃ）が組み立て中を示し、その（Ｄ）完成時のものを示している。
【図１０】本発明に係る横桟フレームの他の実施形態を図示しており、その（Ａ）が折り畳まれた状態を示し、その（Ｂ）が組み立て開始時を示し、その（Ｃ）が組み立て中を示し、その（Ｄ）完成時のものを示している。
【図１１】本発明に係る架台構成システムにおいて、１ユニットからなる縦桟フレームを用いて１ブロックの架台を形成し、この１ブロックの架台を順次横方向に連続して配列して複数ブロックの架台を構築したものを示す説明図である。
【図１２】本発明に係る縦桟フレームの他の実施形態を図示しており、その（Ａ）が正面図、その（Ｂ）が右側面図、その（Ｃ）が矢印Ａ方向から見たＡ矢視図である。
【図１３】上記図１２に図示した縦桟フレームに用いた縦桟を横桟フレームの横桟に適用し、架台を形成したものを示し、その（Ａ）が架台の全体説明図であり、その（Ｂ）が横桟及び縦桟の拡大側面図である。
【発明を実施するための形態】
【００３７】
以下、添付の図面と共に本発明の実施形態について説明する。
図１は、本発明のソーラーパネル等の面状物品の架台構成システム（以下単に「架台構成システム」という。）に係る一実施形態の斜視説明図である。
本発明に係る架台構成システムは、縦桟フレーム１０と、図には示していないが、これら縦桟フレーム１０間に適宜筋交い等を掛け渡して補強するための補強材とから成り、これら縦桟フレーム１０の複数をコンクリート製の土台部３０、３０上に略平行に設置し固定し、補強材を適宜配設して固定し、架台が完成するのである。
【００３８】
それぞれの縦桟フレーム１０は、前後方向に斜めに傾斜する縦桟１１と、これを支持する支柱１２、１３と、支柱１２、１３の下端部を土台部３０に固定するための固定部１４と、前後の固定部１４、１４を連結する補強材としての下端縦枠１５とから成る。
ここで、強度上、下端縦枠１５及び鉛直方向に伸びる支柱１３は、これを配設せずに実施することも可能である。即ち、これらの下端縦枠１５及び鉛直支柱１３は、例えば、多雪地域や強風地域等の特殊な地域への設置の場合に、更なる補強を目的として付加される補強材としての役割を荷うものである。
【００３９】
更に、図示はしていないが、補強材としては、横方向に隣り合う鉛直支柱１３、１３間に筋交いとしての補強材を掛け渡すことも可能であり、横方向に隣り合う支柱１３、１３の下端部同士を連結して補強する補強材を掛け渡すこともできる。
このようにして、本発明に係る架台構成システムにおいては、複数の縦桟フレーム１０を土台部３０上に略平行に列設し、その後各種の補強材を掛け渡し固定することによりソーラーパネル等の架台が完成するのである。
そして、次の図２以降により説明するが、上記縦桟フレーム１０は、折り畳み自在及び／又は伸縮自在並びに組み立て自在の１つのユニット体からなるものである。
【００４０】
図２は、上記実施形態において使用される縦桟フレームを図示しており、その（Ａ）が折り畳まれた状態の正面図、その（Ｂ）が（Ａ）図の右側面図、その（Ｃ）が組み立て時の正面図、その（Ｄ）が（Ｃ）図の右側面図、その（Ｅ）が完成時の正面図、その（Ｆ）が（Ｅ）図の右側面図である。
【００４１】
この図２に図示した縦桟フレーム１０においては、鉛直方向に配設される支柱は設けられていない。
これらの図から解る通り、本発明の架台構成システムに使用する縦桟フレーム１０は、折り畳み及び組み立て自在であり、しかも、これら全体が１つのユニットとして形成され、運搬時には折り畳まれた状態で小さくでき、設置現場で容易に組み立てて設置固定することができるものである。
【００４２】
図２（Ｃ）から良く解る通り、ソーラーパネルを載置する縦桟１１に両端部の支柱１２、１２と、中央の支柱１２、１２がその上端部で回動自在に枢着されている。
そして、下端縦枠１５の両端部には固定部１４が固定され、その左端部の固定部１４にはやはり回動自在に支柱１２の下端部が枢着されている。
【００４３】
従って、この縦桟フレーム１０は、図２（Ａ）のように折り畳まれて略直線状の棒状体を呈することとなる。つまり、搬出時及び運搬時は折り畳まれて小さい体積のものとすることができ、設置現場では図２（Ｃ）のように、それぞれの回動枢着部が展開され、その後締め付け固定されるとともに、両端部及び図中右から２番目の支柱１２の下端部が固定部１４に螺子等の固定手段により固定されて組み立て設置固定が行われるのである。
【００４４】
ここで、使用されている縦桟１１、支柱１２、下端縦桟１５は、それぞれ断面Ｌ型の金属製アングル材を使用している。
但し、縦桟１１においては、図２（Ｂ）において見て取れるように、その下端縁部が上方に折曲されて樋部１１ｔが形成されている。この樋部１１ｔの存在により、雨水等が縦桟フレーム１１の前方側端部から地面に滴下するように構成している。
【００４５】
また、この樋部１１ｔの形態は、縦桟１１の下端縁部が上方に折曲されているために、太陽電池パネルを縦桟１１上に取り付ける際に、縦桟１１の下端縁部と工具との干渉がなくなるために、施工作業が容易となり、施工性に優れたものとなっている。
固定部１４は、Ｌ字型の金具からなり、この固定部１４により支柱１２及び下端縦枠１５が螺子等の固定手段により固定される。
【００４６】
上記縦桟フレーム１０において、その支柱１２の長さを前方側と後方側とで異ならせることにより、縦桟１１の傾斜角度が変更される。次の図３によりこれを示す。
図３は、上記縦桟フレーム１０の縦桟１１の傾斜角度を各種変更して設置した状態を図示した説明図である。
【００４７】
この図から解る通り、本発明に係る縦桟フレーム１０は、その支柱１２の長さを適宜変更することにより、又は、支柱１２の配設角度を異ならせることにより、若しくは長さの変更と共に配設角度を異ならせることにより、縦桟１１の傾斜角度を０度から９０度までの間の所望の角度に設定することができる。
縦桟１１を９０度に設定する場合には、支柱１２と縦桟１１の間に補強材１９を３本配設した状態と成る。
【００４８】
尚、上記の通り縦桟１１の角度を変更するに際して、支柱１２上端部と縦桟１１との連結構造を工夫することにより、縦桟１１を無段階に連続的にその傾斜角度を変更することも可能となる。
即ち、一例として、縦桟１１の側にその長手方向に沿って長い長穴を適宜列設しておき、この長穴の何れかを選択し、その適宜位置に支柱１２の上端部の螺子挿通穴を合致させて、その後ボルトナット等により両者を螺着固定する方法を取ることにより、縦桟１１の傾斜角度を無段階、且つプラス側又はマイナス側への傾斜角度変更を行うことも可能となるのである。
【００４９】
この図３及び先の図２から解る通り、本発明に係る縦桟フレーム１０においては支柱１２及び補強材１９により、その構造がトラス構造を呈しており、強度の面でも極めて高い強度を有するものとして構築されている。
尚、上記実施形態では、縦桟フレーム１０を略平行に４本列設したものを例示したが、この列設本数は自由に変更することができ、また縦方向長さも全く自由に設計することができる。
即ち、縦方向長さを適宜設定することにより、太陽電池パネルの前後方向の取り付け枚数を自由に、つまり、１枚乃至５枚以上とすることも可能となる。
【００５０】
図４は、本発明に係る架台構成システムに係る第２の実施形態を図示する斜視説明図である。
この実施形態においては、上記のような縦桟フレームは使用せずに、横桟フレーム２０を使用している。
この横桟フレーム２０は、土台部３０上に横方向に配置されるものであって、上端部に配設される横桟２１と、これを支持する複数の支柱２２と、これら支柱２２の下端側で横方向に補強する下端横枠２５と、支柱２２の下端部で土台部３０に固定するための固定部２４とから成る。
支柱２２の間に配設されるブレース２７は、補強材となる。
【００５１】
横桟２１、下端横枠２５、及びブレース２７は、それぞれ金属製の断面Ｌ型のアングル材を使用し、支柱２２は断面コ字形状の金属製型材を使用している。
隣り合う支柱２２間には、上記した通り、適宜補強材としてのブレース２７を配設し固定している。
この横桟フレーム２０で、支柱２２の異なる高さのものを少なくとも２つ使用し、その支柱２２の高さの低いものを前方側に配置し、支柱２２の高さの高いものを後方側に配置し、その後、断面コ字形状の金属製型材からなる縦桟３１を略平行に載置し固定し、その後更に補強材２６等を配設し固定することによりソーラーパネル等の架台が構築されるのである。
【００５２】
尚、横桟フレーム２０を構成するそれぞれの構成要素である横桟２１、支柱２２及び補強材２６等々は、その使用部位によって断面形状及び材質を適宜設定することができるが、特殊な地域（多雪地域や強風地域など）への設置の際には、それらを適宜変更して設計することが可能であり、その強度を向上させることができる。
この点に関しては、前記縦桟フレームに関しても同様である。
【００５３】
ソーラーパネル等は、図示はしていないが、上記複数列設された縦桟３１上に縦横に配列され固定されることができる。
尚、上記縦桟３１は、横桟フレーム２０の横桟２１上に固定してもよいし、また支柱２２の上端部を横桟２１よりも上に延長してこの支柱２２の上端部に固定してもよく、或いはこれらの両者に固定することもできる。
ここで、上記横桟フレーム２０は、上記縦桟フレームと同様に、１つのユニット体から形成され、次の図５以降で説明するが、折り畳み自在及び／又は伸縮自在、若しくは組み立て自在となっている。
【００５４】
図５は、上記図４に図示した架台構成システムに使用する横桟フレームを図示しており、その（Ａ）が折り畳まれた状態の正面図、その（Ｂ）が（Ａ）図の右側面図、その（Ｃ）が組み立て時の正面図、その（Ｄ）が（Ｃ）図の右側面図、その（Ｅ）が完成時の正面図、その（Ｆ）が（Ｅ）図の右側面図である。
【００５５】
これらの図から解る通り、本発明の架台構成システムに使用する横桟フレーム２０は、折り畳み及び組み立て自在であり、しかも、これら全体が１つのユニットとして形成され、搬出時及び運搬時には折り畳まれた状態で小さく出来、設置現場で容易に組み立てて設置固定することができるものである。
【００５６】
その構成を再度説明すると、上端の横枠２１と、これを支持する複数の支柱２２と、支柱２２の間に配設されるブレース２７と、各支柱２２の下端部に設けられる固定部２４とからなる。
固定部２４は、Ｌ字型の金具からなり、この固定部２４により支柱が土台部に螺子等の固定手段により固定される。
【００５７】
図５（Ｃ）から良く解るように、各支柱２２の上端部が横桟２１と回動自在に枢着され、同様に、各支柱２２の下端部が下端横枠２５に回動自在に枢着され、それぞれのブレース２７の上端部も中央の２本の支柱２２の上端部に回動自在に枢着され、その下端部はフリーの状態に形成され、ユニット化されている。
【００５８】
これを図５（Ｅ）のように組み立てて、それぞれの枢着部位を締め付け固定し、ブレース２７、２７の下端部を両端の支柱２２の下端部に螺子等の固定手段により固定して横桟フレーム２０が組み立てられ、土台部上に固定されるのである。
この実施形態に係る横桟フレーム２０においては、各支柱２２の上端部が横桟２１の上方に延長する形態を有している。
【００５９】
図６は、本発明の他の実施形態に係る横桟フレームを図示しており、その（Ａ）が折り畳まれた状態を示し、その（Ｂ）が組み立て開始時を示し、その（Ｃ）が組み立て中を示し、その（Ｄ）完成時のものを示している。
この横桟フレーム２０Ａの構成は、上記横桟フレーム２０とほぼ同一であるが、下端の下端横枠が無いものである。
【００６０】
そして、この横桟フレーム２０Ａは、前記横桟フレーム２０とその折り畳み形態が異なっている。
図６（Ａ）、（Ｂ）、（Ｃ）から解る通り、この横桟フレーム２０Ａは、上端の横桟２１がその中央部位２１ｓで２分割され、且つ折曲する形態を有しているのである。
その他の構成は、前記横桟フレーム２０と同様である。
【００６１】
図７は、本発明の他の実施形態に係る横桟フレームを図示しており、その（Ａ）が折り畳まれた状態を示し、その（Ｂ）が組み立て開始時を示し、その（Ｃ）が組み立て中を示し、その（Ｄ）完成時のものを示している。
この横桟フレーム２０Ｂの構成は、上記横桟フレーム２０Ａとほぼ同一であるが、折り畳みの形態が上記横桟フレーム２０Ａと異なる。
【００６２】
即ち、この横桟フレーム２０Ｂにおいては、上記横桟フレーム２０Ａのようにその中央部位で折曲するのではなく、その中央部分で相互に両側に延長できるように伸縮自在に構成している。
つまり、横桟２１の中央部分が重なり合う形態を有し、これを左右外側方向に摺動させ、伸長することにより、横桟２１が組み立てられる形態である。
その他の支柱２２及びブレース２７の構成は上記横桟フレーム２０Ａと同様である。
【００６３】
図８は、本発明の他の実施形態に係る横桟フレームを図示しており、その（Ａ）が折り畳まれた状態の正面図、その（Ｂ）が（Ａ）図の右側面図、その（Ｃ）が組み立て時の正面図、その（Ｄ）が（Ｃ）図の右側面図、その（Ｅ）が完成時の正面図、その（Ｆ）が（Ｅ）図の右側面図である。
この実施形態に係る横桟フレーム２０Ｃは、上記図５に図示した横桟フレーム２０と同様の構成であるが、ブレース２７の配設が異なっているものである。
【００６４】
即ち、この横桟フレーム２０Ｃにおいては、ブレース２８がそれぞれ２本ずつ、支柱２２の間に配設され、左右対称に横向きのＶ字形状に配設されているものである。
その他の折り畳みの態様は、上記図５に図示した横桟フレーム２０と同様である。
【００６５】
図９は、本発明の他の実施形態に係る横桟フレームを図示しており、その（Ａ）が折り畳まれた状態を示し、その（Ｂ）が組み立て開始時を示し、その（Ｃ）が組み立て中を示し、その（Ｄ）完成時のものを示している。
この実施形態に係る横桟フレーム２０Ｄは、上記図６に図示した横桟フレーム２０Ａと同様の構成であり、つまり、横桟２１がその中央部位で２分割され、且つ折曲する形態を有しているが、ブレース２８の配設が異なっているものである。
【００６６】
このブレース２８の構成は、この横桟フレーム２０Ｄにおいては、ブレース２８がそれぞれ２本ずつ、支柱２２の間に配設され、左右対称に横向きのＶ字形状に配設されているものである。
その他の折り畳みの態様は、上記図６に図示した横桟フレーム２０Ａと同様である。
【００６７】
図１０は、本発明の他の実施形態に係る横桟フレームを図示しており、その（Ａ）が折り畳まれた状態を示し、その（Ｂ）が組み立て開始時を示し、その（Ｃ）が組み立て中を示し、その（Ｄ）完成時のものを示している。
この実施形態に係る横桟フレーム２０Ｅは、上記図７に図示した横桟フレーム２０Ｂと同様の構成であり、つまり、その中央部位で折曲するのではなく、その中央部分で相互に両側に延長できるように伸縮自在に構成している。
つまり、横桟２１の中央部分が重なり合う形態を有し、これを左右外側方向に摺動させ伸長することにより、横桟２１が組み立てられる形態である。
【００６８】
また、ブレース２８の構成は、前記図９に示した横桟フレーム２０Ｄと同様に、ブレース２８をそれぞれ２本ずつ、支柱２２の間に配設し、左右対称に横向きのＶ字形状に配設しているものである。
その他の折り畳みの態様は、前記図９に図示した横桟フレーム２０Ｄと同様である。
【００６９】
次に、本発明に係るソーラーパネル等の面状物品の架台構成方法は以下の通りとなる。
まず縦桟フレームを用いて架台を構成する方法は以下の通りである。
(1) まず１ユニットとして、ソーラーパネル等の面状物品を支持する縦桟を含む縦桟フレームを折り畳み及び組み立て自在に形成する。
(2) 設置現場で、前記縦桟フレームの複数を組み立て、土台部上に略平行に列設する。
(3) その後、これら列設された縦桟フレーム間に適宜補強材を配設固定して架台を構築する。
(4) 最後に、各縦桟フレームの上端の縦桟上にソーラーパネル等の面状物品を縦横方向に配列し固定して設置が完了する。
【００７０】
次に、横桟フレームを用いて架台を構成する方法は以下の通りとなる。
(1) ソーラーパネル等の面状物品を支持する複数本の縦桟を支持するための、横桟フレームを折り畳み自在及び／又は伸縮自在、並びに組み立て自在に形成する。
(2) この横桟フレームを少なくとも２本用意し、後方側の横桟フレームの支柱高さを前方側の横桟フレームの支柱高さよりも高くし、土台部上の前方側と後方側に配置し固定する。
(3) これらの横桟フレームの横桟上及び／又は支柱上端部に縦桟を掛け渡し、固定し、前方側と後方側の横桟フレーム上に縦桟を略平行に列設させ、適宜補強材を配設固定して架台を構築する。
(4) 最後に、各縦桟上にソーラーパネル等の面状物品を縦横方向に配列し固定して設置が完了する。
【００７１】
このように、本発明に係る架台構成方法においては、縦桟フレーム又は横桟フレームを予め工場内で製造しておき、折り畳んだ状態で出荷をし、設置現場で簡単に組み立て、適宜補強材を用いて架台が簡易に構築されるのである。
それぞれの縦桟フレーム又は横桟フレームの折り畳み又は組み立て形態は種々設計変更が可能であり、縦桟フレームにあっては、その支柱の長さを適宜変更することにより、及び／又は支柱の配設角度を異ならせることにより、その縦桟の傾斜角度を０度から９０度まで連続的に設定可能となり、他方、横桟フレームにおいては、前方側と後方側に配置する横桟フレームの支柱高さの異なるものを予め用意しておくことにより、その上端に載置する縦桟の傾斜角度を適宜変更することができることとなるのである。
【００７２】
図１１は、本発明に係る架台構成システムにおいて、１ユニットからなる縦桟フレーム又は横桟フレームを用いて１ブロックの架台を形成し、この１ブロックの架台を順次横方向に連続して配列して複数ブロックの架台を構成する架台構成システムに関するものであり、図１１は、その縦桟フレーム１０Ｂを用いて構成したものを示す説明図である。
【００７３】
この図１１に示す縦桟フレーム１０Ｂは、上記縦桟フレーム１０と多少その形態を異にしている。
即ち、この縦桟フレーム１０Ｂにおいては、前後方向両端の支柱１２、１２の上端部が縦桟１１の両端部に合致せずに、やや中央部よりに配設されたものである。
【００７４】
この縦桟フレーム１０Ｂを使用し、この４本を土台部３０上に略平行に配列し固定する。
その後、適宜補強材を前後方向、横方向、斜め筋交い方向に配設して、１つのブロックＡの架台が形成される。
尚、この縦桟フレーム１０Ｂ上に配設する太陽電池パネルは、横置きでも縦置きでも可能であり、縦置きの場合には、各縦桟フレーム１０Ｂを略均等割りにほぼ等間隔にて配置されることになる。
この１ブロック毎の架台を横方向に順次構築して、ブロックＢ、ブロックＣというように連続的に構築して行くことができる。
【００７５】
この際に、各ブロックＡ、Ｂ、Ｃのそれぞれのブロックの間に、本発明においては、アース用の渡り金具として電導性を有する鋼材を掛け渡しているのである。
図１１において、円形部分Ｅの拡大図（Ｅ）から見て取れるように、この電導性を有する鋼材が、電導部材１８となるのである。
この図に示した実施形態では、この電導部材１８は、各ブロックの縦桟１０Ｂの手前側の支柱１２下端部を横方向に連結補強する補強材の間に掛け渡している。
この電導部材１８を各ブロック間に予め掛け渡して架台を構築することにより、架台の上に載置固定されるソーラーパネルからのアース線の配線作業が極めて容易となるのである。
【００７６】
このようなアース用の電導部材１８は、前記横桟フレームを利用した架台構成システムにおいても同様に架設することができる。
即ち、少なくとも２つの横桟フレームを前後に配置固定して、これらの横桟フレーム上に縦桟を複数本（偶数本）略平行に列設し固定する。
その後に適宜補強材を配設固定して１ブロックの架台が形成される。
【００７７】
この１ブロックの架台を横方向に順次連続的に構築して複数ブロックの架台を構築することができる。
その際に、各ブロックの間に、上記のように、アース用の渡り金具として電導性を有する鋼材を横桟フレームの下端横枠の間に掛け渡すのである。
この電導性を有する鋼材が、電導部材なるのである。
【００７８】
この電導部材を各ブロック間に予め掛け渡して架台を構築すことにより、架台上に載置固定されるソーラーパネルからのアース線の配線作業が極めて容易なものとなるのである。
ここで用いた電導性鋼材は、それ以外の電導性を有する素材であれば何でも採用することができる。
【００７９】
図１２は、本発明に係る縦桟フレームの他の実施形態を図示しており、その（Ａ）が正面図、その（Ｂ）が右側面図、その（Ｃ）が矢印Ａ方向から見たＡ矢視図である。
この図に示した縦桟フレーム１０Ｃの構成は、前図の図１１に図示した縦桟フレーム１０Ｂとほぼ同じであるが、縦桟フレーム１０Ｃを構成する縦桟１１Ｃが上記実施形態と異なる形態を有している。
【００８０】
即ち、図１２（Ｂ）及び（Ｃ）から解る通り、この縦桟１１Ｃは、その長手方向に２分割されており、略コ字形状の２つの構成部材１１Ｃｅ，１１Ｃｅを互いにその開口部を対面させるように配置され、これらの構成部材１１Ｃｅ，１１Ｃｅはその長手方向に複数設けられた連結部材１１ｒによって所定間隔を維持して固定されている。
また、この連結部材１１ｒは、同時にこの縦桟１１Ｃを支柱１２に固定するために機能している。
この連結部材１１ｒの構成については、次図の図１３において再度説明する。
【００８１】
以上の構成からなる縦桟１１Ｃを用いて縦桟フレーム１０Ｃが形成され、この縦桟フレーム１０Ｃの複数を土台部に列設し、適宜補強材を掛け渡し固定して架台が完成する。
この架台上には、太陽電池パネルが載置固定される訳であるが、この架台の縦桟１１Ｃは、上記した通り、２つに分割されており、その長手方向の全体に渡り溝条部が形成されることになり、この溝条部を利用して固定金具により太陽電池パネルが固定される。
【００８２】
従って、前記溝条部が縦桟の長手方向の全体に渡り設けられている関係上、太陽電池パネルの固定金具の位置は、その縦桟の何れの位置にも取り付けることができ、種々異なるサイズの太陽電池パネルに容易に対応することができるし、その取付位置も容易に変更することができるものとなるのである。
【００８３】
図１３は、上記図１２に図示した縦桟フレーム１０Ｃに用いた縦桟１１Ｃを横桟フレームに適用し、架台を形成したものを示し、その（Ａ）が架台の全体説明図であり、その（Ｂ）が横桟及び縦桟の拡大側面図である。
この架台においては、横桟フレーム２０Ｆ、２０Ｆに用いられている横桟２１Ｃ、及び前記横桟フレーム２０Ｆ上に掛け渡される複数の縦桟１１Ｃが同じ構造を有している。
【００８４】
即ち、図１３（Ｂ）に図示した側面図は、前記横桟２１Ｃ及び前記縦桟１１Ｃのものであり、これら横桟２１Ｃと縦桟１１Ｃとは同じ構成を有し、単にその長さが異なるものである。
この横桟２１Ｃは、その中央で２分割されており、略コ字形状の構成部材２１Ｃｅ，２１Ｃｅの開口部を対面するように対称に配置し、その長手方向で複数個所にて連結部材１１ｒによって固定され、両構成部材２１Ｃｅ，２１Ｃｅは一定の間隔で固定される。
【００８５】
この連結部材１１ｒは、基本的にはボルト部材１１ｂと、ナット部材１１ｎと、スペーサ部材１１ｓとからなり、構成部材２１Ｃｅ間にスペーサ部材１１ｓを配置してボルト部材１１ｂとナット部材１１Ｃを相互に締着することにより構成部材２１Ｃｅ同士が一定の間隔で連結固定される。
この締着の際に、横桟フレーム２０Ｆの支柱２２の上部の螺子挿通穴に前記ボルト部材１１ｂを挿通させてナット部材１１ｎを締め付けることにより、この横桟２１Ｃが横桟フレーム２０Ｆの支柱２２上端部に固定されることとなるのである。
【００８６】
また、この架台においては、上記横桟フレーム２０Ｆを前後に少なくとも２本略平行に配置して、この横桟フレーム２０Ｆ上に縦桟１１Ｃを複数本掛け渡して固定し、架台が完成するが、この縦桟１１Ｃの構成も前記横桟２１Ｃと同じ構造を有している。
このように、図１３に図示した横桟フレーム２０Ｆ及び縦桟１１Ｃを用いて構築された架台においては、以下のような効果を発揮するのである。
【００８７】
この架台においては、横桟２１Ｃ及び縦桟１１Ｃの何れにおいてもその長手方向全体に渡り溝条部が形成されているために、横桟２１Ｃ上に縦桟１１Ｃを固定する際に、その固定位置を自由に選択することができる。
即ち、図中矢印Ｄで示すように、縦桟１１Ｃの間隔を自由に変更して決定することができる。これにより大きさの異なる太陽電池パネルに対応することができる。
【００８８】
また、縦桟１１Ｃの長さも自由で、その両端側の固定位置も自由に決定することができるし、土台部３０の前後間隔も自由に設定することができる。
更に、縦桟１１Ｃ上に載置し固定する太陽電池パネルＳの位置も矢印Ｅに示した通り自由に変更して決定し固定することができることとなるのである。
【００８９】
以上、図１２及び図１３により２分割縦桟及び横桟について説明したが、これらの構成部材を連結固定する連結部材１１ｒの構成は種々変更することができ、スペーサー部材を用いなくとも、中央の外径が大きく、その両端に雄ネジ部が刻設された螺子棒を使用して、その両端をナット部材により固定できる形式のものであってもよいし、その他従来からある２つの構成部材を所定間隔で固定できるものであれば、どのようなものであっても利用できるものである。
【００９０】
勿論、この２分割横桟及び縦桟のような分割体でなく、上面側に溝条部がその長手方向全体に形成された型材を利用して縦桟フレーム、横桟フレーム、及びこれらを用いた架台を形成することも可能である。
しかし、上記のような分割体を利用することにより、横桟及び縦桟の相互の固定位置、及び太陽電池パネルの固定位置を自由に変更して固定することができるために、より好ましい実施形態となるのである。
【００９１】
尚、この２分割縦桟及び横桟に関しては、上記のような分割体でなく、上面側に溝条部が形成された型材を利用することができるが、より詳しくは、ロール成形（連続成形）による一体型のものやアルミ押出成形（引抜成形）などで、溝部を有するもの、或いはまた、既存形鋼（アングルやチャンネル等）に溝部（スリットや切込み等）を設けたものであってもよいものである。
【００９２】
以上、本発明の実施形態について説明したが、本発明においては以下の通り適宜設計変更をすることができる。
縦桟フレームのサイズ、各構成枠体の形態及びサイズ等は自由に設計変更できる。
縦桟は基本アングル材を使用しているが、これを断面コ字形状の型材を使用することもでき、既に述べたが、縦桟の下端側縁部を上方に折曲して樋部を形成することもできる。
更には、上記最終の実施形態にあるように、２分割縦桟を用いることもできる。
当然のこととして、縦桟フレームは、土台部上に上記実施形態のように４列でなく、２列乃至６列以上連続して列設して架台を構成することができる。
【００９３】
支柱の下端部に設けた固定部も上記実施形態では断面略Ｌ字形状の金具を用いたが、この金具の形態も自由に設計変更することができる。
縦桟フレーム間に掛け渡す補強材も自由に配設して固定することができる。
図２に図示した縦桟フレームのように、補強材としての下端縦枠１５を配設せずに縦桟フレームを形成することも可能である。
【００９４】
同様に、横桟フレームに関しても、上記縦桟フレームと同様に、そのサイズ及び形態を適宜変更して実施することができる。
図５乃至図７に図示した横桟フレームでは、ブレースとして、左右対称に「ハ」の字の形となるように配設固定したが、これを逆「ハ」の字となるように配設し固定するのも自由であり、図８乃至図１０に図示した横桟フレームでは、ブレースとして、左右対称に外側開口の横向き「Ｖ」字型に配設固定したが、これを左右対称に内側開口の横向き「Ｖ」字型に配設固定することもできる。
尚、上記の斜め１本のブレースの場合には、左右平行に右上がり又は右下がりに配設するのも自由である。
【００９５】
更に、図５及び図８に図示した横桟フレームにおいて、下端横枠を配設せずに横桟フレームを形成することも可能である。
図４に図示した横桟フレームにおいては、上端の横桟２１及び下端の下端横枠２５が支柱２２の後方側（奥側）に配設されて図示されているが、これらを前方側（手前側）に配設固定するのも自由である。或いは、図５に図示した通り、横桟を手前側に、下端横枠を奥側に配設するのも自由である。
【００９６】
以上、本発明においては、縦桟フレーム又は横桟フレームをユニット化し、しかも、これらユニット化した縦桟フレーム又は横桟フレームをそれぞれ折り畳み及び組み立て自在に形成している点が大きな特徴と成っており、このユニット化された１つの構成要素を利用してソーラーパネル等の面状物品の架台を構成する架台構成システム、架台構成方法、及びこれらに用いる架台用フレーム（縦桟フレームと横桟フレーム）を創案した画期的な発明を提供することができたものである。
【符号の説明】
【００９７】
１０、１０Ｂ、１０Ｃ  縦桟フレーム
１１、１１Ｃ  縦桟
１１Ｃｅ  構成部材
１１ｒ  連結部材
１２、１３  支柱
１４  固定部
１５  下端縦枠
１８  電導部材
２０、２０Ａ、２０Ｂ、２０Ｃ、２０Ｄ、２０Ｅ、２０Ｆ  横桟フレーム
２１、２１Ｃ  横桟
２２  支柱
２４  固定部
２５  下端横枠
２６  補強材
２７、２８  ブレース
３０  土台部
３１  縦桟
【図１】
2014088695.tif 000003
【図２】
2014088695.tif 000004
【図３】
2014088695.tif 000005
【図４】
2014088695.tif 000006
【図５】
2014088695.tif 000007
【図６】
2014088695.tif 000008
【図７】
2014088695.tif 000009
【図８】
2014088695.tif 000010
【図９】
2014088695.tif 000011
【図１０】
2014088695.tif 000012
【図１１】
2014088695.tif 000013
【図１２】
2014088695.tif 000014
【図１３】
2014088695.tif 000015